(57)【特許請求の範囲】
【請求項１】
低床式フロアを有するスクータ型車両において、
シートの揺動により上部開口を開閉するヘルメット収納ボックスが上方へ着脱自在に支持され、
前記ヘルメット収納ボックスの前半部の底壁に沿って下方にエアクリーナが配置され、かつ前記ヘルメット収納ボックスの後半部の底壁に沿って下方にバッテリが配置されることを特徴とするスクータ型車両。
【請求項２】
車体フレームに支持され上方を開口したバッテリ収納ケースに前記バッテリが車両進行方向左側に寄せて収納されることを特徴とする請求項１記載のスクータ型車両。
【請求項３】
前記バッテリ収納ケースは、前記エアクリーナの下方から車両前後方向後方へ立ち上がるメインフレームと、前記ヘルメット収納ボックスの底壁と、前記ヘルメット収納ボックスの下方で前記メインフレーム間を連結するクロスパイプに囲まれていることを特徴とする請求項２記載のスクータ型車両。
【請求項４】
前記エアクリーナは上面視で前記ヘルメット収納ボックスの形状に沿って半円形状に形成されていることを特徴とする請求項１から請求項３までのいずれか１項記載のスクータ型車両。
【発明の詳細な説明】
【０００１】
【発明の属する技術分野】
本発明は、低床式フロアを有するスクータ型車両に関する。
【０００２】
【従来の技術】
斯かるスクータ型車両でシートの揺動により上部開口を開閉するヘルメット収納ボックスを備えたものにおいては、例えば特開平１−２２３０９１号公報に開示されるように、ヘルメット収納ボックスの前方にエアクリーナを配置し、ヘルメット収納ボックスの後部にバッテリを収容するバッテリボックスが一体に形成されている。
【０００３】
【発明が解決しようとする課題】
エアクリーナ，ヘルメット収納ボックス，バッテリが、前後に順に配置されることから車体前後長が大きくなってしまう。
そこでエアクリーナとバッテリの配置を変えると、メンテナンス等の作業が面倒になったりする。
【０００４】
本発明は、斯かる点に鑑みなされたもので、その目的とする処は、車体前後長を大きくせずにエアクリーナ及びバッテリのメンテナンスが容易に行えるスクータ型車両を供する点にある。
【０００５】
【課題を解決するための手段及び作用効果】
上記目的を達成するために、本発明は、低床式フロアを有するスクータ型車両において、シートの揺動により上部開口を開閉するヘルメット収納ボックスが上方へ着脱自在に支持され、前記ヘルメット収納ボックスの前半部の底壁に沿って下方にエアクリーナが配置され、かつ前記ヘルメット収納ボックスの後半部の底壁に沿って下方にバッテリが配置されるスクータ型車両とした。
【０００６】
ヘルメット収納ボックスの底壁に沿って下方にエアクリーナとバッテリが配置されるので、車体前後長を小さくすることができる。
そしてヘルメット収納ボックスが上方へ着脱自在に支持されるので、ヘルメット収納ボックスを上方へ離脱すれば、エアクリーナ及びバッテリのメンテナンス等の作業を容易に行うことができる。
【０００７】
請求項２記載の発明は、請求項１記載のスクータ型車両において、車体フレームに支持され上方を開口したバッテリ収納ケースに前記バッテリが車両進行方向左側に寄せて収納されることを特徴とする。
【０００８】
ヘルメット収納ボックスを上方へ離脱すると、バッテリ収納ケースに収納されたバッテリが露出するので、バッテリのメンテナンス等の作業を容易に行うことができる。
【００１１】
【発明の実施の形態】
以下本発明に係る一実施の形態について図１ないし図６に図示し説明する。
本実施の形態に係るスクータ型車両１の全体側面図を図１に示す。
【００１２】
車体フレーム２は、ヘッドパイプ３から１本ダウンフレーム４が略下向きに延出し下端が後方へ屈曲しており、その屈曲部から左右に分岐した左右対称な一対のメインフレーム６，６が後方へ延出している。
【００１３】
左右のメインフレーム６，６間を連結するクロスパイプ５の中央部が、メインフレーム６，６よりも下方へ延びたダウンフレーム４の後方へ屈曲した下端に接合され、ダウンフレーム４とメインフレーム６，６との結合を強固にし剛性を高めている。
【００１４】
該メインフレーム６，６は、ダウンフレーム４から分岐して略水平に後方へ延出してフロア部６ａ，６ａを構成した後、斜め上方に立ち上がり傾斜部６ｂ，６ｂを構成し、その上部が水平後方に屈曲して水平部６ｃ，６ｃをなしてリヤサブフレーム７に接続されている。
リヤフサブレーム７は上面視でコ字状に屈曲されて後端が連結されている。
【００１５】
かかる車体フレーム２の前部ヘッドパイプ３に回動自在に支持されたステアリングシャフト10の下部がフロントフォーク11に連結されていて、フロントフォーク11にフロントクッションリンク12を介して前輪13が軸支され、ステアリングシャフト10の上部にハンドル14が設けられている。
【００１６】
メインフレーム６，６の傾斜部６ｂ，６ｂ間を所定高さ位置でクロスパイプ８が連結しており、同クロスパイプ８に後記する４点連結リンク15を介して左右一対のＬ字形状をしたブラケット16，16が吊設され、その水平部の前端の支軸50と鉛直部の中央より若干下方の支軸51によりミッションケース25ｃの上部と後部を支持されて内燃機関25が懸架されており、該内燃機関25はメインフレーム６，６のフロア部６ａ，６ａ間に搭載される。
【００１７】
４点連結リンク15を介して吊設されたＬ字形状のブラケット16，16には、その鉛直部間に架設された枢軸17によりリヤフォーク18が前端を枢支されて後端を揺動自在に連結されている。
【００１８】
リヤフォーク18の後端には後輪19が軸支され、同後端とメインフレーム６，６の傾斜部６ｂ，６ｂの上部との間にリヤクッション20，20が介装されている。
さらにブラケット16，16の鉛直部下端にメインスタンド21が枢着されている。
【００１９】
ブラケット16，16を支持する４点連結リンク15は、前記クロスパイプ８から前方に左右一対の支持フレーム52ａ，52ａが突設され、図３に示すように両支持フレーム52ａ，52ａ間に支軸53が一体に架設され、支軸53にラバーブッシュ55を介して外筒57が同軸に支持されている。
【００２０】
外筒57の左右に連結部材59を介して外環部材60，60が下方に一体に吊設され、左右外環部材60，60内のラバーブッシュ61，61を介して支軸50が左右端を支持されて架設されている。
【００２１】
またクロスパイプ８から後方に左右一対の支持フレーム52ｂ，52ｂが突設され、両支持フレーム52ｂ，52ｂ間に支軸54が一体に架設され、前方の支軸53と同様にラバーブッシュ56を介して外筒58が支持され、外筒58に連結部材64を介して外環部材65，65が下方に一体に吊設され、左右外環部材65，65内のラバーブッシュ66，66を介して支軸67が左右端を支持されて架設されている。
【００２２】
この左右水平方向に指向して架設された前側支軸50と後側支軸67に左右一対のＬ字状のブラケット16，16がその水平部前後を貫通されて支持されている。
したがってクロスパイプ８および支持フレーム52ａ，52ｂを介して車体フレーム２と一体の前後の支軸53，54とブラケット16，16を吊設する前後の支軸50，67が４点連結リンク15を形成している。
【００２３】
なお外筒57，58の回動をさらに弾性的に抑制する機構がクロスパイプ８と、前側外筒57との間に設けられている。
すなわちクロスパイプ８に矩形の箱体70が、外筒57に開口を向けて斜めに傾いて設けられ、内部にラバー71が嵌入されており、一方外筒57から斜め上方に突設された突起72が箱体70のラバー71内に挿入されている。
【００２４】
ブラケット16に前後方向に負荷が加わると、ラバーブッシュ61，66の弾性変形に基づき外環部材60，65が前後に変位し、この前側外環部材60の変位は連結部材59を介して外筒57を支軸53を中心にラバーブッシュ55の弾性変形により回動し、後側外環部材65の変位は連結部材64を介して外筒58を支軸54を中心にラバーブッシュ56の弾性変形により回動する。
【００２５】
そして外筒57が支軸53を中心に回動しようとするのを突起72を介してラバー71が弾性変形して抑制する。
かかるブラケット16，16に内燃機関25が支軸50と支軸51に支持され、リヤフォーク18の前端が枢軸17により枢支されている。
【００２６】
したがって内燃機関25の振動は、４点連結リンク15に設けられたラバーブッシュ55，56，61，66およびラバー71の介在により車体フレーム２側に伝達されるのを低減することができる。
【００２７】
またクロスパイプ８から斜め上方に支持ステー80が突設され、一方メインフレーム６，６の水平部６ｃ，６ｃの前部のクロスメンバ81ａに支持ステー81が立設され、前側の支持ステー80と後側の支持ステー81によりヘルメット収納ボックス22が支持される。
ヘルメット収納ボックス22は、ボックス部22ａの後壁の上端が後方へ屈曲して略水平に延びる庇部22ｂが形成されている。
【００２８】
前側の支持ステー80の上端水平面にヘルメット収納ボックス22のボックス部22ａの底壁所定箇所を当接して左右２点をボルト82，82で螺着し、後側の支持ステー81の上端水平面にヘルメット収納ボックス22の庇部22ｂの下面所定箇所を当接して左右２点をボルト83，83で螺着する。
【００２９】
各支持ステー80，81の上端水平部の下面にはそれぞれナット82ａ，83ａが固着されており、上方よりボルト82，83が螺合され、同ボルト82，83により支持ステー80，81にヘルメット収納ボックス22が締結支持される。
したがって４本のボルト82，83を外せば、ヘルメット収納ボックス22を車体から簡単に離脱することができる。
【００３０】
このヘルメット収納ボックス22の後方には燃料タンク24がクロスメンバ81ａ及びリヤサブフレーム７により支持されており、ヘルメット収納ボックス22の庇部22ｂが燃料タンク24の上方を覆っている。
【００３１】
ヘルメット収納ボックス22のボックス部22ａの底壁の前後方向中央部を支持ステー80が支持しており、同支持部より後半部底壁に略矩形の開口が形成されて、同開口を蓋部材24が開閉自在に上方より塞ぐようになっている。
この開口の周囲から下方へ略矩形の周壁22ｃが延出している。
【００３２】
蓋部材24とその下方の前記クロスパイプ８より後方へ突出した支持フレーム52ｂとの間の空間にバッテリ収納ケース85が支持フレーム52ｂにボルト85ｂ，85ｂにより固定支持されて設置されている
バッテリ収納ケース85は、略矩形箱状をなし、その上端開口部をヘルメット収納ボックス22の下方へ延出した周壁22ｃ内に間隙を存して挿入し上端開口を蓋部材24及びその右方の底壁部分に近接対向させている。
【００３３】
このバッテリ収納ケース85にバッテリ86が左側に寄せて収納され、バンド87で締めつけ固定される。
バッテリ収納ケース85には左側に寄せて配置されたバッテリ86の右側にさらに空間があり、同空間に制御ユニット88や点火ユニット89等が配設される。
【００３４】
したがって蓋部材24を取り外せばバッテリ86のメンテナンスや交換等の作業を行うことができ便利である。
またバッテリ収納ケース85の上部でヘルメット収納ボックス22の下方へ延出した周壁22ｃとの間に間隙を有するので、バッテリ86の熱はこもらず抜けることができる。
なおバッテリ収納ケース85の後壁および底壁から下方及び後方へリヤフェンダ85ａが延設されている。
【００３５】
内燃機関25は、ＯＨＣ型動弁機構を備えた４サイクル内燃機関であり、クランクケース25ｂとミッションケース25ｃが一体に形成されて、変速機がともに内蔵されており、前側のクランクケース25ｂから突出したシリンダ25ａが略水平近くまで倒伏しており、上方に延出した吸気管26が後方へ屈曲して気化器27に接続され、気化器27から後方へ延びた吸気ダクト28が上方へ屈曲してエアクリーナ29に接続されている。
【００３６】
エアクリーナ29は、支持ステー80より前方でヘルメット収納ボックス22のボックス部22ａの前半部の底壁に沿って下方に配置され、図５に示すように上面視でヘルメット収納ボックス22の形状に沿って半円形状をしていて、空間を有効に利用している。
なおヘルメット収納ボックス22は底壁の一部が該エアクリーナ29の吸気ダクト29ａを避けるようにして凹んでいる。
【００３７】
以上のようにヘルメット収納ボックス22のボックス部22ａの底壁に沿ってエアクリーナ29とバッテリ86が前後に配置されるので、エアクリーナ29やバッテリ86によって車体の前後長が大きくなるようなことはない。
【００３８】
そしてヘルメット収納ボックス22を取り外せば、エアクリーナ29が露出してメンテナンス等の作業を簡単に行うこともできる。
なおヘルメット収納ボックス22を取り外せば制御ユニット88及び点火ユニット89についも同時にメンテナンス等を行うことができる。
【００３９】
車体前部は、ヘッドパイプ３の前後をフロントカバー30とレッグシールド31が覆い、レッグシールド31は左右に展開してダウンフレーム４に沿って下方に延びている。
レッグシールド31の下半部中央の凹部に前輪13の上方を前後に覆うフロントフェンダ32がフロントフォーク11と一体に装着されている。
ステアリングシャフト10の上部にはステアリングカバー33が被せられている。
【００４０】
車体中央部は、幅方向中央に配置される内燃機関25をチャンネル状をしたフロアトンネルカバー34が上方から覆い、フロアトンネルカバー34の左右に展開する足載せのフロアプレート36，36がメインフレーム６，６のフロア部６ａ，６ａに支持されて設けられている。
【００４１】
フロアトンネルカバー34は、上壁34ａがレッグシールド31の下端から内燃機関25および気化器27の上方を斜めに覆い、左右側壁34ｂ，34ｂがその側方を覆ってトンネル状をなすとともに、左右側壁34ｂ，34ｂはさらに後方へ延出してメインフレーム６，６の傾斜部６ｂ，６ｂの側方にまで至り、左右側壁34ｂ，34ｂの後部間は平面視で略Ｕ字状に開口している。
【００４２】
この左右側壁34ｂ，34ｂの前半部に大きく開口34ｃ，34ｃが形成されていて、同開口34ｃ，34ｃにメッシュ35，35が着脱自在に嵌め込まれ、メッシュ35，35によりシリンダヘッド周囲を覆い隠している。
【００４３】
この開口34ｃ，34ｃは内燃機関25のシリンダヘッドから気化器27にかけての側方に形成されていて、外気がメッシュ35，35を通して排風して内燃機関25の冷却ができるとともに、メッシュ35，35を外さずにメッシュの孔を利用して気化器27のメンテナンスができる。
【００４４】
このフロアトンネルカバー34の後部Ｕ字状開口に沿ってヘルメット収納ボックス22の前方から左右側方を覆ったリヤカバー37が、さらに後方へ延出して後部燃料タンク23の後方で後輪19の上方までを覆っている。
リヤカバー37の上方開口は、アンダカバー38を備えたシート39が、その前端部をヘルメット収納ボックス22の前端部に支軸39ａにより枢着されて開閉自在に覆うようになっている。
【００４５】
内燃機関25のミッションケース25ｃの後部に突出した出力軸40に嵌着されたドライブスプロケット41と後輪19に一体に設けられたドリブンスプロケット42との間にチェーン43が架渡され、動力が伝達される。
【００４６】
このミッションケース25ｃからは左方にシフトスピンドル96が突出しており、その先端にチェンジレバー97が嵌着されている。
一方で内燃機関25のクランクケース25の左側前端部に上下２箇所でボルト90，91により後端を固着された取付ステー92が、図２及び図５に示すようにシリンダ25ａに沿ってフロアトンネルカバー34の内側を前方へ延設されており、その前端にチェンジペダル95がボルト94を介して揺動自在に軸支されている。
【００４７】
取付ステー92は、図２に示すように側面視で略三角形状をした中空の板状部材であり、取付ステー92の後部に三角形の２つの角部が上下にあって同角部がボルト90，91によりクランクケース25ｂの左側前端部に固着される。
クランクケース25ｂに固着された後部92ｃから前方へ延出した前部に三角形のもう１つの角部を有し、同角部から上方へ延出した延出部92ａが形成されている。
【００４８】
この延出部92ａにボルト94が左水平方向に突設される。
フロントトンネルカバー34の左側壁34ｂには下端縁から逆Ｕ字状に切り欠かれた開口34ｄが前記メッシュ35が嵌め込まれる開口34ｃの下部に形成されていて、前記ボルト94は、この開口34ｄを左外方向に貫通している（図５及び図６参照）。
このボルト94はスリーブ94ａを軸支して前記取付ステー92の延出部92ａに螺着され、スリーブ94ａの外端部にチェンジペダル95が嵌着され揺動自在に支持される。
【００４９】
チェンジペダル95は、フロアトンネルカバー34の外側面に沿って位置しており、枢支部から前後にペダルアームが延びて、それぞれ先端に踏部95ａ，95ｂが設けられるとともに、枢支部から下方にレバー部95ｃが延出しており、同レバー部95ｃは、フロアプレート36に前記逆Ｕ字状の開口34ｄに連通するように形成された矩形孔36ａを下方へ貫通している。
【００５０】
このフロアプレート36を下方へ貫通したレバー部95ｃの下端と前記シフトスピンドル96に嵌着されたチェンジレバー97との間を連結ロッド98が連結しており、チェンジペダル95の操作が連結ロッド98を介してシフトスピンドル96を回動しミッションギアの噛み合いを切り替え変速する。
なお連結ロッド98は、ワイヤを用いる場合もある。
【００５１】
チェンジペダル95は、左フロアプレート36の右寄りでフロアトンネルカバー34に沿って設けられており、左フロアプレート36の上方所要位置にチェンジペダル95の前後の踏部95ａ，95ｂが位置している。
チェンジペダル95の左側に足載せ部があり、運転者はチェンジペダル95の操作がし易い。
【００５２】
クランクケース25ｂに一体に延設された取付ステー92にチェンジペダル95が枢支されるので、クランクケース25ｂと一体のミッションケース25ｃに内蔵されるミッションギヤの変速作動部であるチェンジレバー97とチェンジペダル95とは、固定された位置関係にあり、車体に対する内燃機関25の相対移動に影響されずに連結ロッド98を介してチェンジペダル95の操作がチェンジレバー97に精度良く伝達される。
【００５３】
またチェンジペダル95の取り付けに際してチェンジレバー97との位置関係を考慮した高い取付精度が要求されず取付作業が容易となる。
【００５４】
本実施の形態ではチェンジペダル95のみがフロントトンネルカバー34等のカバー外側に配置され、内燃機関25その他取付ステー92等はカバーの内側にあり、取付ステー92に突設されチェンジペダル95を支持するボルト94が貫通するフロントトンネルカバー34の逆Ｕ字状開口34ｄは、チェンジペダル92の枢支部分，枢支部近傍の揺動分及び内燃機関25とともに変位する変位分に干渉しない最小限の大きさに設定されている。
【００５５】
なお本実施の形態ではチェンジペダルは取付ステーを介して取り付けられているが、内燃機関に直接取り付けることも可能である。
【００５６】
フロントトンネルカバー34の右側壁34ｂには、左側壁34ｂの逆Ｕ字状開口34ｄに略対応する部位に開口34ｅが形成されており、内燃機関25のシリンダヘッドに配設される点火プラグ99が該開口34ｅに臨む位置にあって、該開口34より点火プラグ99のメンテナンスが行えるようになっている。
なお通常該開口34ｅは蓋部材100で塞がれている。
【図面の簡単な説明】
【図１】本発明の一実施の形態に係るスクータ型車両の全体側面図である。
【図２】内燃機関の懸架構造を示すカバーを外した要部側面図である。
【図３】図２において III−III 線に沿って切断した断面図である。
【図４】図２においてIV−IV線に沿って切断した断面図である。
【図５】一部省略した部分的平面図である。
【図６】図５においてVI−VI線に沿って切断した断面図である。
【符号の説明】
１…スクータ型車両、２…車体フレーム、３…ヘッドパイプ、４…ダウンフレーム、５…クロスパイプ、６…メインフレーム、７…リヤサブフレーム、８…クロスパイプ、
10…ステアリングシャフト、11…フロントフォーク、12…フロントクッションリンク、13…前輪、14…ハンドル、
15…４点連結リンク、16…ブラケット、17…枢軸、18…リヤフォーク、19…後輪、20…リヤクッション、21…メインスタンド、22…ヘルメット収納ボックス、23…蓋部材、24…燃料タンク、25…内燃機関、26…吸気管、27…気化器、28…吸気ダクト、29…エアクリーナ、
30…フロントカバー、31…レッグシールド、32…フロントフェンダー、33…ステアリングカバー、34…フロアトンネルカバー、35…メッシュ、36…フロアプレート、37…リヤカバー、38…アンダカバー、39…シート、
40…出力軸、41…ドライブスプロケット、42…ドリブンスプロケット、43…チェーン、
50，51…支軸、52…支持フレーム、53，54…支軸、55，56…ラバーブッシュ、57，58…外筒、59…連結部材、60…外環部材、61…ラバーブッシュ、64…連結部材、65…外環部材、66…ラバーブッシュ、67…支軸、70…箱体、71…ラバー、72…突起、
80，81…支持ステー、83，84…ボルト、85…バッテリ収納ケース、86…バッテリ、87…バンド、88…制御ユニット、89…点火ユニット、
90，91…ボルト、92…取付ステー、94…支軸、95…チェンジペダル、96…シフトスピンドル、97…チェンジレバー、98…連結ロッド、99…点火プラグ、100…蓋部材。
【図１】
0004132376.tif 000002
【図２】
0004132376.tif 000003
【図３】
0004132376.tif 000004
【図４】
0004132376.tif 000005
【図５】
0004132376.tif 000006
【図６】
0004132376.tif 000007